(57)【要約】  液体透過性トップシート、バックシート及び前記トップシートと前記バックシートの間に配置される吸収性コアを含むディスポーザブル衛生吸収性用品が提供され、前記トップシートは、ドライコーティングを有する不織ウェブ材料からなり、前記コーティングは、5.5を超えないpKa値を有する有機酸及び/又はその塩、b)界面活性剤、及びc)水溶性ポリマーを含む。【特許請求の範囲】
【請求項１】
液体透過性トップシート、バックシート及び前記トップシートと前記バックシートの間に配置される吸収性コアを含むディスポーザブル衛生吸収性用品であって、前記トップシートが、ドライコーティングを有する不織ウェブ材料からなり、前記コーティングが、
a.5.5を超えないpKa値を有する有機酸及び/又はその塩、
b.界面活性剤、及び
c.水溶性ポリマーであって、該水溶性ポリマーがポリアルキレングリコールを含む場合に、前記ポリアルキレングリコールが、5,000〜1,000,000Daの重量平均分子量を有することを条件とする、水溶性ポリマー
を含む、ディスポーザブル衛生吸収性用品。
【請求項２】
前記有機酸及び/又はその塩が、乳酸、乳酸の緩衝溶液、乳酸ナトリウム、乳酸カリウム及び乳酸カルシウム又はそれらの組み合わせから選択される、請求項1に記載のディスポーザブル衛生吸収性用品。
【請求項３】
前記有機酸及び/又はその塩が、前記トップシートの少なくとも0.1g/m2、好ましくは0.1〜10g/m2、より好ましくは0.5〜5g/m2の量で存在する、請求項1又は2に記載のディスポーザブル衛生吸収性用品。
【請求項４】
前記界面活性剤が、前記トップシートの少なくとも0.01重量%、好ましくは0.01〜3重量%、より好ましくは0.1〜1重量%の量で存在する、請求項1から3のいずれか一項に記載のディスポーザブル衛生吸収性用品。
【請求項５】
前記界面活性剤が、非イオン性界面活性剤、カチオン性界面活性剤、両性イオン性界面活性剤又はアミンオキシド型界面活性剤、又はそれらの組み合わせからなる群から選択され、好ましくはカチオン性界面活性剤である、請求項1から4のいずれか一項に記載のディスポーザブル衛生吸収性用品。
【請求項６】
前記水溶性ポリマーが、ポリアルキレングリコールを含まない、好ましくはポリエチレングリコール及びポリプロピレングリコールを含まない、及び/又はポリアクリル酸及びポリアクリル酸のコポリマーを含まない、請求項1から5のいずれか一項に記載のディスポーザブル衛生吸収性用品。
【請求項７】
前記水溶性ポリマーが、ポリアクリルアミド及びそのコポリマー、ポリビニルアルコール、ポリアルキレングリコール、ポリアミン、ポリエチレンイミン、ポリマー性第四級アンモニウム化合物、ポリビニルピロリドン及びそのコポリマー、ポリビニルメチルエーテル/無水マレイン酸、多糖類及びそれらの2つ以上の組み合わせからなる群から選択される、請求項1から6のいずれか一項に記載のディスポーザブル衛生吸収性用品。
【請求項８】
前記水溶性ポリマーが、ビニルピロリドンのホモポリマー又はコポリマーである、請求項1から7のいずれか一項に記載のディスポーザブル衛生吸収性用品。
【請求項９】
前記水溶性ポリマーが、5,000〜1,000,000Da、好ましくは10,000〜500,000Da、より好ましくは20,000〜100,000Daの重量平均分子量を有する、請求項1から8のいずれか一項に記載のディスポーザブル衛生吸収性用品。
【請求項１０】
前記水溶性ポリマーが、前記トップシートの0.05〜10g/m2、好ましくは0.1〜5g/m2、より好ましくは0.3〜3g/m2の量で存在する、請求項1から9のいずれか一項に記載のディスポーザブル衛生吸収性用品。
【請求項１１】
前記バックシートが、液不透過性及び好ましくは蒸気透過性である、請求項1から10のいずれか一項に記載のディスポーザブル衛生吸収性用品。
【請求項１２】
ドライコーティングを有する液体透過性不織ウェブ材料であって、前記コーティングが、
a.5.5を超えないpKa値を有する有機酸及び/又はその塩、
b.界面活性剤、及び
c.水溶性ポリマーであって、該水溶性ポリマーがポリアルキレングリコールである場合に、前記ポリアルキレングリコールが、5,000〜1,000,000Daの重量平均分子量を有することを条件とする、水溶性ポリマー
を含み、
前記液体透過性不織ウェブ材料が、好ましくは請求項2から10のいずれか一項に規定されたものである、液体透過性不織ウェブ材料。
【請求項１３】
ドライコーティングを有する液体透過性不織ウェブ材料を製造する方法であって、
a.液体透過性不織ウェブ材料を用意する工程と、
b.不織ウェブに
i.5.5を超えないpKa値を有する有機酸及び/又はその塩、
ii.界面活性剤、及び
iii.水溶性ポリマーであって、該水溶性ポリマーがポリアルキレングリコールである場合に、前記ポリアルキレングリコールが、5,000〜1,000,000Daの重量平均分子量を有することを条件とする、水溶性ポリマー
を塗付する工程と
を含み、
前記液体透過性不織ウェブ材料が、好ましくは請求項12に記載されたものである、方法。
【請求項１４】
工程b)が、前記各化合物のうち1つ又は複数の液体組成物、好ましくは水性組成物を前記不織ウェブ材料に塗付することを含み、そのように処理した前記不織ウェブ材料を乾燥する工程c)が続く、請求項13に記載の方法。
【請求項１５】
工程b)が、前記有機酸及び/又はその塩、前記界面活性剤及び前記水溶性ポリマーを含む水性組成物を前記不織ウェブ材料に塗布することを含む、請求項13又は14に記載の方法。
【請求項１６】
工程b)が、
i.前記界面活性剤を含む第1の液体組成物を前記不織ウェブ材料に塗布すること、及び
ii.次いで、前記有機酸及び/又はその塩並びに前記水溶性ポリマーを含む第2の液体組成物を前記不織ウェブ材料に塗布すること
を含む、請求項13又は14に記載の方法。
【請求項１７】
工程b)が、
i.前記界面活性剤並びに前記有機酸及び/又はその塩を含む第1の液体組成物を前記不織ウェブ材料に塗布すること、及び
ii.次いで、水溶性ポリマーを含む第2の液体組成物を前記不織ウェブ材料に塗布すること
を含む、請求項13又は14に記載の方法。
【請求項１８】
液体組成物、好ましくは水性組成物が、浸漬、ソーキング、スロットコーティング及び/又はキスローリングによって独立に前記不織ウェブ材料に塗布される、請求項13又は17に記載の方法。
【請求項１９】
ディスポーザブル衛生吸収性用品、好ましくは請求項1から11のいずれか一項に記載のディスポーザブル衛生吸収性用品を製造する方法であって、
a.請求項12に記載の、又は請求項13から18のいずれか1項に記載の方法により得られる、ドライコーティングを有する液体透過性不織ウェブ材料を用意する工程、及び
b.前記不織ウェブ材料とバックシート材料の間に吸収性コアを配置する工程
を含む、方法。
【請求項２０】
請求項12に記載の、又は請求項13から18のいずれか1項に記載の方法から得ることができる、液体透過性不織ウェブ材料の、ディスポーザブル衛生吸収性用品のトップシートとしての使用。
【発明の詳細な説明】
【技術分野】
【０００１】
本開示は、トップシート、吸収性コア及びバックシートを含む、ディスポーザブル衛生吸収性用品、例えば生理用ナプキン、パンティライナー、おむつ又は失禁パッドに関し、トップシートは、pH制御組成物を含むドライコーティングを含む不織ウェブ材料から形成される。
【背景技術】
【０００２】
本開示が関係する種類の吸収性用品は、皮膚に対して着用され、トップシート、吸収性コア及びバックシート層を含む。皮膚に直接接触して適用される製品のすべての使用では、望ましくない副作用が生じる可能性がある。これらの副作用は、閉塞要因、湿気要因、機械的要因、微生物要因、及び酵素要因の結果、生じる可能性があり、これらのすべては、様々な度合いで、相互に作用し、互いに影響を増幅し、様々な形態の皮膚の刺激及び時には前記用品のユーザーに生じる一次又は二次皮膚感染を引き起こす可能性がある。pHの上昇は、皮膚と接触する衛生用品を使用する際の通常の現象である。5.0未満のpH値を有する皮膚は、5.0超のpH値を有する皮膚よりも良い状態にあることがわかった。これは、バリア機能の生物物理学的パラメーター、保湿及び落屑を測定することにより示された。常在皮膚ミクロフローラの付着に対するpHの効果も評価されて、酸性の皮膚pH(4〜4.5)は、常在細菌叢を皮膚に付着し続けるが、アルカリ性のpH(8〜9)は、皮膚からの分散を促進することがわかった。Lambers, Hら(2006)による、自然の皮膚表面pHは、平均で5未満であり、これはその常住菌叢にとって有益である、Int J Cosmet Sci、28(5)、359〜70頁を参照のこと。
【０００３】
皮膚と接触する吸収性用品を使用する際の望ましくない作用の他の例は、pH上昇と共に高まる強いpH依存性の活性を示す酵素、例えばリパーゼ及びプロテアーゼの活性の増加である。酵素活性が高まると、皮膚は分解し始め、機械的力及び細菌の攻撃に敏感になる。
【０００４】
衛生用品と接触する皮膚のpHを制御するために組み込まれる酸性化剤を含む吸収性用品は、当該技術分野で一般に知られている。酸性化剤は、ローション及び水溶液でも適用することができる。ローションを含んだ吸収性用品は、吸収性が低下する恐れがある。ローション適用の工程は、製造方法を複雑化する可能性もある。
【０００５】
水性形態の酸性化剤を適用すると、衛生用品の吸収性に対する影響が小さくなる可能性がある。しかし、衛生用品使用時の添加薬剤の効能、簡易で良好に機能する塗布プロセス、並びに長い貯蔵寿命、すなわち貯蔵安定性の保証に関して考慮すべき他の側面もある。
【先行技術文献】
【非特許文献】
【０００６】
【非特許文献１】Lambers, Hら、Int J Cosmet Sci、28(5)、359〜70頁(2006)
【発明の概要】
【課題を解決するための手段】
【０００７】
改善された、長期の有益な皮膚効果を有するpH調整剤を組み込んだ吸収性用品は、請求項1により得ることができる。
【０００８】
第1の態様によれば、本開示は、トップシート、吸収性コア及びバックシートを含む吸収性用品に関する。トップシートは、a)5.5を超えないpKa値を有する有機酸及び/又はその塩、b)界面活性剤、及びc)水溶性ポリマーを含むドライコーティングを含む。
【０００９】
界面活性剤、5.5を超えないpKa値を有する有機酸及び/又はその塩を水溶性ポリマーと組み合わせると、有機酸及び/又はその塩の長期で改善された皮膚保護効果が生じることがわかった。
【００１０】
第2の態様によれば、本開示は、a)5.5を超えないpKa値を有する有機酸及び/又はその塩、b)界面活性剤、及びc)水溶性ポリマーを含むドライコーティングを有する液体透過性不織ウェブ材料に関する。
【００１１】
第3の態様によれば、本開示は、上記の当該液体透過性不織ウェブ材料を製造する方法に関する。
【００１２】
第4の態様によれば、本開示は、上記の当該衛生吸収性用品を製造する方法に関する。
【発明を実施するための形態】
【００１３】
本開示は、トップシート、吸収性コア及びバックシートを含むディスポーザブル衛生吸収性用品に関する。トップシートは、a)5.5を超えないpKa値を有する有機酸及び/又はその塩、b)界面活性剤、及びc)水溶性ポリマーを含むドライコーティングを含む。
【００１４】
用語「ディスポーザブル衛生吸収性用品」は、着用者の皮膚に対して置かれて、尿、糞便及び月経液等の身体排泄物を吸収し、封じ込める製品を指し、用品はこれらの領域にpH調整剤を送達するために使用することもできる。本発明は、ディスポーザブル用品を指し、これは、衛生用品として洗浄又は他の方法で再生又は再使用されることを意図しない用品を意味する。ディスポーザブル吸収性用品の例には、女性用衛生製品、例えば生理用ナプキン、パンティライナー、サニタリーショーツ及び女性用インサート;乳児及び成人失禁者用のおむつ及びパンツ型おむつ;失禁パッド;おむつインサート等が含まれる。
【００１５】
本明細書では、用語「ドライコーティング」は、室温で液体である液体担体、例えば水溶液でトップシート材料に塗布される組成物を塗布し、次いで、トップシート材料を乾燥し、トップシート材料上に形成されるドライコーティングを得ることによる、トップシート材料上に形成されるコーティングを指す。本明細書で呼ばれる「ドライ」コーティングは、周囲空気中の水分量との平衡のため、避けられない水濃度を著しく超えない水分量を有するコーティングに関する。
【００１６】
コーティング組成物は、噴霧、スロットコーティング、キスロールコーティング及び/又はコーティング組成物含有浴への材料のソーキングを含む、任意の適切な手段によりトップシート材料に塗布することができる。コーティングは、吸収性用品の組み立て時にインラインで実施することができる。或いは、トップシート材料は、別に調製し、吸収性用品製造工場に直ちに使用可能なロールとして提供することができる。上記の方法の組み合わせによりコーティングを形成することもできる。
【００１７】
コーティング組成物成分、すなわち界面活性剤及び有機酸及び/はその塩及び水溶性ポリマーの各成分は、上記の噴霧、スロットコーティング、キスロールコーティング及び/又はコーティング組成物含有浴への材料のソーキングを含む方法の1つにより塗布することができ、水溶性ポリマーは、例えば噴霧、スロットコーティング、キスロールコーティング及び/又はコーティング組成物含有浴への材料のソーキングから選択される個別の方法により塗布することができ、個々に個別の工程で又は一緒に単一の工程で不織ウェブ材料上に添加することができる。
【００１８】
トップシート材料をコーティング組成物で湿らした後に、例えば、トップシート材料を強制循環熱風炉又は赤外線又は誘電乾燥機のバンク又は当業者に知られている他の従来の乾燥装置に導くことによりトップシート材料を乾燥する。いくつかの有機酸、例えば乳酸の場合、有機酸の蒸発を避けるため、乾燥工程時の温度を確実に比較的低温に保つことが重要である。乳酸の場合、例えば、温度は、約120℃の沸騰温度未満に保たれなければならない。
【００１９】
ドライコーティングを有する液体透過性不織ウェブ材料を製造する方法は、液体透過性不織ウェブ材料を用意する工程と、以下の5.5を超えないpKa値を有する有機酸及び/又はその塩、界面活性剤、及び水溶性ポリマーを不織ウェブに塗布する工程とを一般に含む。
【００２０】
コーティング組成物の成分は、不織ウェブ材料に任意の順番で塗布することができる。
【００２１】
例えば、すべての成分は、単一の液体、好ましくは、すなわち前記有機酸及び/又はその塩、前記界面活性剤及び前記水溶性ポリマーを含む水溶液で塗布することができる。
【００２２】
或いは、前記界面活性剤を含む第1の液体組成物が、不織ウェブ材料に塗布され、次いで、前記有機酸及び/又はその塩及び前記水溶性ポリマーを含む第2の液体組成物、好ましくは水性組成物が、不織ウェブ材料に塗布される。
【００２３】
さらなる代替物として、三成分、すなわち有機酸及び/又はその塩、界面活性剤及び水溶性ポリマーは、個別の液体組成物、好ましくは水性組成物に含まれ、同時に、又は任意の順番で互いに後で不織ウェブ材料に塗布される。好ましくは、そのような場合に、界面活性剤は、水溶性ポリマーの塗布の前に不織ウェブ材料に塗布される。
【００２４】
液体のコーティング組成物を不織ウェブ材料に塗布した後に、そのように処理した不織ウェブ材料は、乾燥工程に入り、ドライコーティングが不織ウェブ材料上に形成され、これは次いで、本開示によるトップシート材料としてすぐ使われることになる。
【００２５】
本開示の界面活性剤は、溶解している媒体の表面張力及び/又は他の相との界面張力を下げ、したがって、液体/固体に及び/又は他の界面に確実に吸着する物質である。界面活性剤は、衛生用途での使用に適した任意の既知の界面活性剤であってもよく、当該技術分野で一般に知られるように、適切な界面活性剤は、衛生用途での使用に適した任意のカチオン性界面活性剤、陰イオン界面活性剤、非イオン性界面活性剤、両性イオン性界面活性剤又はアミンオキシド型の界面活性剤を含み得て、水溶液の表面張力を下げて、溶液がトップシート上に容易に広がるのを可能にするはずである。界面活性剤は、トップシート材料でのコーティングの適切な広がり及び含浸を徹底することができ、コーティング組成物のトップシート材料への付着の改善を促進する。これは、大量の合成繊維を含み、又は合成繊維から完全になり、したがって、主に疎水性であるトップシート材料にとって特に重要である。疎水性トップシート材料は、トップシートの湿潤後の湿潤ゾーンが減少することからも好ましい可能性がある。
【００２６】
適切な界面活性剤の例は、Silastol PHP 26、Silastol PHP 28、Silastol PHP 163、Silastol PHP 207 (Schill & Seilacher GmbH)、Stantex S 6327 (Cognis)、Duron OS 1547、Duron OF 4012 (CHT/BEZEMA)、Nuwet 237*及びNuwet 550 (Momentive)である。
【００２７】
5.5を超えないpKa値を有する有機酸及び/又はその塩は、例えば、以下の乳酸、乳酸の緩衝溶液、乳酸ナトリウム、乳酸カリウム及び/又は乳酸カルシウムのいずれか又はいくつかであってもよい。例えば、水溶液で乾燥する場合に結晶又は粉末状組成物を形成し得る他の乾燥有機酸及びその塩と対照的に、乾燥した乳酸及びその塩は、平滑なドライコーティングを形成することがわかった。そのような平滑コーティングは、湿潤後にトップシート上に残る活性薬剤の量が増加するという利点をもたらすことがわかった。
【００２８】
本開示による有機酸及び/又はその塩の機能は、自然の皮膚pH、したがって、有益な密着皮膚の健康を維持することである。これは、本開示による衛生用品の使用により実現することができ、その理由は、有機酸及び/又はその塩が、ユーザーの皮膚に直接接触している材料層であるトップシート上にコーティングされるからである。有機酸及び/又はその塩の移動は、皮膚と接触しているコーティングからの乾燥移動、及びコーティングもまた皮膚及びトップシートとユーザー皮膚との間の環境と接触している体液による湿潤移動の両方として行うことができると考えられる。したがって、添加した有機酸及び/又はその塩ができるだけ多くトップシートの表面及び内部に残り、又溶解されず、衛生用品に移動されないことを徹底することにより、pH制御組成物の有効性は増加し、延長される。
【００２９】
約3.5〜5のトップシート材料のpH、又は約4〜4.5のpHは、自然の皮膚pH、したがって、有益な密着皮膚の健康を維持するのに有利であることがわかった。
【００３０】
したがって、トップシートは、トップシートの少なくとも約0.1g/m2、例えばトップシートの少なくとも約0.5g/m2、例えばトップシートの少なくとも約1g/m2の量で5.5を超えないpKa値を有する有機酸及び/又はその塩を含み得る。有機酸及び/又はその塩は、トップシートの約0.5g/m2〜約10g/m2、例えばトップシートの約1g/m2〜約10g/m2の量で存在し得る。
【００３１】
トップシートは、トップシートの少なくとも約0.1重量%、例えばトップシートの約0.1〜約2重量%、例えばトップシートの約0.1〜約1重量%、例えばトップシートの約0.3〜約1重量%の量で界面活性剤も含み得る。
【００３２】
本開示の目的では、「トップシートの重量比」で表される重量百分率は、すなわち23℃、50%RHで周囲の空気と平衡に達した乾燥条件でのトップシート材料の総重量を基準にして算出されることになる。
【００３３】
界面活性剤と共に、本開示による有機酸及び/又はその塩を添加する利点は、それが、液体担体の、例えば水溶液の、又は第1のコーティング工程として塗布される場合はトップシート材料の表面張力を下げることにより、トップシート材料への良好な広がり及び付着を確実にすることである。
【００３４】
ドライコーティング組成物は、界面活性剤及び有機酸及び/又はその塩に加え、水溶性ポリマーを更に含む。そのような水溶性ポリマーの例には、ポリアクリルアミド及びそのコポリマー、ポリビニルアルコール、ポリアルキレングリコール、ポリアミン、ポリエチレンイミン、ポリマー性第四級アンモニウム化合物、ポリビニルピロリドン及びそのコポリマー、ポリビニルメチルエーテル/無水マレイン酸、多糖類及びそれらの2つ以上の混合物が含まれる。ドライコーティング組成物は、好ましくは任意のポリアクリル酸及び/又はその任意のコポリマーを含まない。
【００３５】
現在、好ましい実施形態では、水溶性ポリマーは、ポリビニルピロリドンであり、又はポリビニルピロリドンを含む。
【００３６】
界面活性剤の存在により、ドライコーティングのトップシート材料への付着が改善されたとしても、ドライコーティング組成物は、いずれにせよ、ある程度トップシートから貯蔵時に移動する可能性がある。理論に拘泥するものではないが、有機酸は、吸収性コアに移動する傾向があると考えられる。驚くべきことに有機酸及び/又はその塩及び界面活性剤を本開示による水溶性ポリマーと組み合わせると、トップシートの低いpHが、貯蔵時に長時間維持され、それによって本開示による吸収性用品の貯蔵寿命が延長されることがわかった。
【００３７】
25℃で撹拌しながら1重量%のポリマーをddH20水に添加し、NaOH又はHCIを適切に使用して、pHを6〜7に調整した後、更に、前記温度で1時間撹拌した後に、添加した製品の少なくとも90重量%が水に溶解していれば、本明細書では、ポリマーは水溶性と定義されることになる。
【００３８】
本開示で使用する水溶性ポリマーは、約5,000Da〜1,000,000Da、例えば10,000〜500,000Da、例えば20,000〜100,000Daの重量平均分子量を有し得る。
【００３９】
水溶性ポリマーが、ポリアルキレングリコール、例えばポリエチレングリコール又はポリプロピレングリコールであるか、又は含む場合は、そのようなポリアルキレングリコールの重量平均分子量は5,000〜1,000,000Daである。
【００４０】
水溶性ポリマーは、トップシートの0.05〜10、好ましくは0.1〜5、より好ましくは0.3〜3g/m2の量でトップシートドライコーティング中に存在することができる。
【００４１】
本開示による吸収性衛生用品は、トップシートとバックシートの間に配置された吸収性構造、吸収性コアを含む。吸収性コアは、任意の通常の種類とすることができる。広く存在する吸収性材料の例は、セルロース系フラッフパルプ、組織層、高吸収剤ポリマー(超吸収剤と呼ばれる)、吸収性発泡材料、吸収性不織布材料等である。セルロース系フラッフパルプを吸収性構造中の超吸収剤と組み合わせることが一般的である。液体の取り込み能力、液体の分布能力及び貯蔵能力に関して、異なる特性を有する異なる材料の層を含む吸収性構造を有することも一般的である。これは、当業者によく知られており、したがって詳細に記述する必要はない。最近の衛生用品で一般的である、薄い吸収体は、セルロース系フラッフパルプ及び超吸収剤の圧縮混合又は層状構造をしばしば含む。吸収性コアのサイズ及び吸収能力は、様々な使用、例えば生理用ナプキン、パンティライナー、大人用失禁パッド及びおむつ、幼児用おむつ、パンツ型おむつ等に適するように変えることができる。
【００４２】
液体透過性トップシートは、当業者に知られている任意の適切なトップシート材料とすることができ、不織布材料、例えば、スパンボンド、メルトブローン、カード、水流交絡、湿式等からなる繊維状トップシート材料であってもよい。適切な不織布材料は、天然繊維、例えば木材パルプ又は綿繊維、合成熱可塑性繊維、例えばポリオレフィン、ポリエステル、ポリアミド並びにそれらの混合種及び組み合わせ又は天然及び合成繊維の混合物から構成され得る。トップシート材料のさらなる例は、多孔性フォームである。トップシート材料として適した材料は、柔らかく、皮膚に非刺激性で、体液、例えば尿又は月経液により容易に浸透するはずである。トップシート材料は、非吸収性繊維、例えば合成熱可塑性繊維、例えばポリオレフィン、ポリエステル、ポリアミド並びにそれらの混合種及び組み合わせから本質的に構成され得る。合成繊維は、ポリエステル、ポリアミド及び/又はポリオレフィン例えばポリプロピレン及びポリエチレンを含む、単一成分繊維、二成分繊維又は多成分系繊維であってもよい。
【００４３】
トップシートは、22g/m2以下、例えば20g/m2以下、例えば19g/m2以下の坪量を有することもある。オープン構造を有するトップシートは、本開示による衛生用品で使用する場合、長期にわたる皮膚の有益な効果をもたらす湿潤ゾーンのさらなる減少に寄与することがわかった。トップシートは、更に、X-Y方向のウィッキングを促進しない構造、例えば均一、平ら、及び非波形の構造であってもよい。
【００４４】
バックシートは、薄いプラスチックフィルム、例えばポリエチレン又はポリプロピレンフィルム、液体不浸透性材料でコーティングされた不織布材料、液体透過を抑える疎水性不織布材料からなり得る。プラスチックフィルムの積層及び不織布材料も、使用することができる。バックシート材料は、液不透過性で、液体がバックシート材料を通過するのを防ぐが、蒸気が吸収性構造から逃げられるように、好ましくは蒸気透過性、通気性である。
【００４５】
本開示による衛生吸収性用品は、当技術分野で周知のように、トップシート、バックシート及び吸収性コアに加え、さらなる層を含み得る。例えば、取り込み層、好ましくは非吸収性繊維から本質的になる多孔性繊維層は、吸収性コアとトップシートの間に配置され得る。トップシートも、非吸収性繊維を含有、又は本質的に構成され得る。
【００４６】
用語「非吸収性繊維」は、かなりの程度水を吸収しない繊維を指す。非吸収性繊維を形成することができる適切なポリマーは、非水吸収性ポリマー、例えばポリオレフィン、ポリエステル、ポリアミド並びにそれらの混合種及び組み合わせである。非吸収性繊維は、ポリオレフィン、ポリエステル、ポリアミド並びにそれらの混合種及び組み合わせを含む、単一成分繊維、二成分繊維又は多成分系繊維であってもよい。
【００４７】
繊維状取り込み層又はトップシート材料が、非吸収性繊維から「本質的に」なることにより、繊維の少なくとも95%が、非吸収性繊維であり、例えば取り込み層又はトップシート材料中の繊維の少なくとも99%、例えば少なくとも100%が、非吸収性繊維であることを意味する。しかし、取り込み層及びトップシート材料は、当業者に知られるように、少量存在するさらなる物質、例えばバインダー及び顔料も含み得る。
【００４８】
トップシート材料上/内の5.5を超えないpKa値を有する有機酸及び/又はその塩の保持を改善し、したがって、その皮膚の有益な効果を改善するために、ドライコーティング組成物を含むトップシートを、低いpHを有するより大きい身体接触面を促進する取り込み層と組み合わせることは有利である。
【００４９】
そのようなトップシートと接触している、及びその下にある本開示による取り込み層が存在する場合は、取り込み層が、吸収繊維、例えばパルプ繊維を含む場合と比較して、トップシート上の湿潤ゾーンが縮小し、したがって、pHが高いゾーンが縮小することがわかった。
【００５０】
取り込み層の荷重下の厚さは、少なくとも約0.5mm、例えば少なくとも約1mm、例えば少なくとも約1.5mmであってもよい。取り込み層の荷重下の厚さは、約0.5〜約30mmであってもよく、WSP120.6により、方法オプションAにより測定し、厚さは、スリットロールから材料の1層を除去後に測定し、材料は、測定前に30分間調整する。使用した圧力は、0.5kPaであり、面積25cm2を有するプレッサーフットを用いて、10秒間待ってから厚さ値を記録した。
【００５１】
取り込み層の坪量は、少なくとも20g/m2、例えば少なくとも40g/m2、例えば40g/m2〜150g/m2、例えば40g/m2〜100g/m2であってもよい。
【００５２】
取り込み層の厚さ及び坪量は、取り込み層が、十分にオープンで厚い構造を確実に提供するために重要である。固有吸収能力を欠くこのオープンで厚い構造は、湿潤後のトップシートの湿潤ゾーンを最小にすることに寄与する。これは、一時的な液体収容用の非吸収リザーバとしても作用することができ、このため、取り込み層中の液体がトップシートをある程度再湿潤させることが可能になり、それによってトップシート表面上の液体とのpH特性の交換が起こり得て、トップシート表面上の有益な酸度を促進する。
【００５３】
トップシートのpHを測定するための試験方法
トップシートのpHは、以下の方法を用いて非常に正確に測定することができる。
【００５４】
試験装置
使用したpHメーターは、PHメーター、VWR(商標) SYMPHONY、SB 80PIであり、使用したpH電極は、HAMILTON FLATTRODEであった。
【００５５】
試験手順
各新しい測定の最初にpHメーターロッドを脱イオン水に浸漬し、電極から水の小さな液滴を垂らし、その液滴は、測定時に不織ウェブ材料を湿らすために使用した。pHは、23℃、約50%RHで測定した。
【実施例１】
【００５６】
pH安定性
乳酸及び界面活性剤を用い、場合によっては水溶性ポリマー、ポリビニルピロリドン(PVP)を用い、不織布を製造した。目的は、水溶性ポリマーの添加により貯蔵安定性が改善するかどうかを測定することであった。
【００５７】
2つのケースを調査した。第1のケース(試料2)では、緩衝乳酸及び界面活性剤を第1の工程で不織布に添加し、乾燥した。その後、PVPを不織布に噴霧し、得られるコーティングされた不織布を乾燥した。第2のケース(試料3)では、界面活性剤を用いて不織布を前処理し、その後、緩衝乳酸と水溶性ポリマーのミックスを噴霧した(PVPと緩衝乳酸を一工程で)。
【００５８】
これらの両方の試料を、緩衝乳酸及び湿潤剤を有するが、ポリマーを有しない不織布である参照(試料1)と比較した。
【００５９】
これらすべての試料を、セルロース繊維及び超吸収剤を含む吸収性コアの上面に直接置き、室温で貯蔵した(プラスチックトレーで覆う)。pH測定を製造の直後及びその後6週間は週に1回実施した。
【００６０】
材料:
・  不織布2:11:湿潤剤(標準pp/スパンボンド/17g/m2、PHP26カチオン性界面活性剤(約0.15重量%))を有する不織布、Berry Plastic社から市販されている。
・  不織布2:3:不織布(標準pp/スパンボンド/17g/m2)、Berry Plastic社から市販されている、緩衝乳酸(0.8g乾燥重量/m2)及び湿潤剤PHP26カチオン性界面活性剤(約0.15重量%)でコーティングされている。
・  緩衝乳酸:(乳酸/乳酸ナトリウム、Corbion社から入手可能)を混合して1%w/w溶液とし、pHは3.2であった。
・  PVP:ddH20に溶解した40kDa(Mw)ポリビニルピロリドンの10%w/w溶液。
・  pHメーター:VWR symphony SB80P1
・  吸収性コア:セルロース繊維300g及びSAP30%
【００６１】
【表１】
2019528919.tif 000002
【００６２】
室温で不織布を乾燥し、その後吸収性製品のコア上に直接置いた。pH測定は、上記の方法により直ちに、及びその後は週に1回実施した。製品は、プラスチックトレーで覆い、室温で貯蔵した。
【００６３】
【表２】
2019528919.tif 000003
【００６４】
上記のTable 1(表2)から明らかなように、乳酸を有する不織布に水溶性ポリマー/PVPを添加すると、貯蔵安定性がかなり改善した。この改善は、PVPを最終工程として噴霧した場合と、緩衝乳酸と混合し、ミックスとして塗布した場合の両方で見られた。どちらの場合も総添加量が0.3g/m2〜3g/m2の場合に良好な結果が得られた。
【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
液体透過性トップシート、バックシート及び前記トップシートと前記バックシートの間に配置される吸収性コアを含むディスポーザブル衛生吸収性用品であって、前記トップシートが、ドライコーティングを有する不織ウェブ材料からなり、前記コーティングが、
a.5.5を超えないpKa値を有する有機酸及び/又はその塩、
b.界面活性剤、及び
c.水溶性ポリマーであって、該水溶性ポリマーがポリアルキレングリコールを含む場合に、前記ポリアルキレングリコールが、5,000〜1,000,000Daの重量平均分子量を有することを条件とする、水溶性ポリマー
を含み、
前記有機酸及び/又はその塩が、乳酸、乳酸の緩衝溶液、乳酸ナトリウム、乳酸カリウム及び乳酸カルシウム又はそれらの組み合わせから選択される、ディスポーザブル衛生吸収性用品。
【請求項２】
前記有機酸及び/又はその塩が、前記トップシートの少なくとも0.1g/m2、好ましくは0.1〜10g/m2、より好ましくは0.5〜5g/m2の量で存在する、請求項1に記載のディスポーザブル衛生吸収性用品。
【請求項３】
前記界面活性剤が、前記トップシートの少なくとも0.01重量%、好ましくは0.01〜3重量%、より好ましくは0.1〜1重量%の量で存在する、請求項1又は2に記載のディスポーザブル衛生吸収性用品。
【請求項４】
前記界面活性剤が、非イオン性界面活性剤、カチオン性界面活性剤、両性イオン性界面活性剤又はアミンオキシド型界面活性剤、又はそれらの組み合わせからなる群から選択され、好ましくはカチオン性界面活性剤である、請求項1から3のいずれか一項に記載のディスポーザブル衛生吸収性用品。
【請求項５】
前記水溶性ポリマーが、ポリアルキレングリコールを含まない、好ましくはポリエチレングリコール及びポリプロピレングリコールを含まない、及び/又はポリアクリル酸及びポリアクリル酸のコポリマーを含まない、請求項1から4のいずれか一項に記載のディスポーザブル衛生吸収性用品。
【請求項６】
前記水溶性ポリマーが、ポリアクリルアミド及びそのコポリマー、ポリビニルアルコール、ポリアルキレングリコール、ポリアミン、ポリエチレンイミン、ポリマー性第四級アンモニウム化合物、ポリビニルピロリドン及びそのコポリマー、ポリビニルメチルエーテル/無水マレイン酸、多糖類及びそれらの2つ以上の組み合わせからなる群から選択される、請求項1から5のいずれか一項に記載のディスポーザブル衛生吸収性用品。
【請求項７】
前記水溶性ポリマーが、ビニルピロリドンのホモポリマー又はコポリマーである、請求項1から6のいずれか一項に記載のディスポーザブル衛生吸収性用品。
【請求項８】
前記水溶性ポリマーが、5,000〜1,000,000Da、好ましくは10,000〜500,000Da、より好ましくは20,000〜100,000Daの重量平均分子量を有する、請求項1から7のいずれか一項に記載のディスポーザブル衛生吸収性用品。
【請求項９】
前記水溶性ポリマーが、前記トップシートの0.05〜10g/m2、好ましくは0.1〜5g/m2、より好ましくは0.3〜3g/m2の量で存在する、請求項1から8のいずれか一項に記載のディスポーザブル衛生吸収性用品。
【請求項１０】
前記バックシートが、液不透過性及び好ましくは蒸気透過性である、請求項1から9のいずれか一項に記載のディスポーザブル衛生吸収性用品。
【請求項１１】
ドライコーティングを有する液体透過性不織ウェブ材料であって、前記コーティングが、
a.5.5を超えないpKa値を有する有機酸及び/又はその塩であって、乳酸、乳酸の緩衝溶液、乳酸ナトリウム、乳酸カリウム及び乳酸カルシウム又はそれらの組み合わせから選択される有機酸及び/又はその塩、
b.界面活性剤、及び
c.水溶性ポリマーであって、該水溶性ポリマーがポリアルキレングリコールである場合に、前記ポリアルキレングリコールが、5,000〜1,000,000Daの重量平均分子量を有することを条件とする、水溶性ポリマー
を含み、
前記液体透過性不織ウェブ材料が、好ましくは請求項1から9のいずれか一項に規定されたものである、液体透過性不織ウェブ材料。
【請求項１２】
ドライコーティングを有する液体透過性不織ウェブ材料を製造する方法であって、
a.液体透過性不織ウェブ材料を用意する工程と、
b.不織ウェブに
i.5.5を超えないpKa値を有する有機酸及び/又はその塩であって、乳酸、乳酸の緩衝溶液、乳酸ナトリウム、乳酸カリウム及び乳酸カルシウム又はそれらの組み合わせから選択される有機酸及び/又はその塩、
ii.界面活性剤、及び
iii.水溶性ポリマーであって、該水溶性ポリマーがポリアルキレングリコールである場合に、前記ポリアルキレングリコールが、5,000〜1,000,000Daの重量平均分子量を有することを条件とする、水溶性ポリマー
を塗付する工程と
を含み、
前記液体透過性不織ウェブ材料が、好ましくは請求項11に記載されたものである、方法。
【請求項１３】
工程b)が、前記各化合物のうち1つ又は複数の液体組成物、好ましくは水性組成物を前記不織ウェブ材料に塗付することを含み、そのように処理した前記不織ウェブ材料を乾燥する工程c)が続く、請求項12に記載の方法。
【請求項１４】
工程b)が、前記有機酸及び/又はその塩、前記界面活性剤及び前記水溶性ポリマーを含む水性組成物を前記不織ウェブ材料に塗布することを含む、請求項12又は13に記載の方法。
【請求項１５】
工程b)が、
i.前記界面活性剤を含む第1の液体組成物を前記不織ウェブ材料に塗布すること、及び
ii.次いで、前記有機酸及び/又はその塩並びに前記水溶性ポリマーを含む第2の液体組成物を前記不織ウェブ材料に塗布すること
を含む、請求項12又は13に記載の方法。
【請求項１６】
工程b)が、
i.前記界面活性剤並びに前記有機酸及び/又はその塩を含む第1の液体組成物を前記不織ウェブ材料に塗布すること、及び
ii.次いで、水溶性ポリマーを含む第2の液体組成物を前記不織ウェブ材料に塗布すること
を含む、請求項12又は13に記載の方法。
【請求項１７】
液体組成物、好ましくは水性組成物が、浸漬、ソーキング、スロットコーティング及び/又はキスローリングによって独立に前記不織ウェブ材料に塗布される、請求項12又は16に記載の方法。
【請求項１８】
ディスポーザブル衛生吸収性用品、好ましくは請求項1から10のいずれか一項に記載のディスポーザブル衛生吸収性用品を製造する方法であって、
a.請求項11に記載の、又は請求項12から17のいずれか1項に記載の方法により得られる、ドライコーティングを有する液体透過性不織ウェブ材料を用意する工程、及び
b.前記不織ウェブ材料とバックシート材料の間に吸収性コアを配置する工程
を含む、方法。
【請求項１９】
請求項11に記載の、又は請求項12から17のいずれか1項に記載の方法から得ることができる、液体透過性不織ウェブ材料の、ディスポーザブル衛生吸収性用品のトップシートとしての使用。
【国際調査報告】
2019528919.tif 000004
2019528919.tif 000005
2019528919.tif 000006